(57)【特許請求の範囲】
【請求項１】
中空のシリンダーハウジング（１０）と、第一タンブラー（２０）と、第二タンブラー（３０）と、第三タンブラー（４０）から構成される異なるカギを使えるシリンダーロックであって、
前記ハウジング（１０）には表面にロックピン（１２）を収容するためピンホール（１１）が設けられており、
前記第一タンブラー（２０）は前記ハウジング（１０）内に収容され、該第一タンブラー（２０）の後端面には第一タンブラーピン（２２）を収容するための第一貫通孔（２１）が設けられると共に、第二タンブラー（３０）へ向かって延伸部（２００）が設けられ、該延伸部（２００）の表面にはボールとスプリングの組合せ（２４）を収容するための第一ホール（２３）が設けられており、
前記第二タンブラー（３０）は、ヘッド部と該ヘッド部から後方へ向かって延伸する延伸部（３０１）とを有し、前記ヘッド部には第二タンブラーピン（３２）を収容するための第二貫通孔（３１）が設けられ、前記延伸部（３０１）の内表面にはボールとスプリングの組合せ（２４）に対して少なくとも一つの収容部（３５）が設けられ、前記ヘッド部には第一タンブラー（２０）の第一貫通孔（２１）に対して第一ブラインドホール（３１Ａ）が設けられると共に、各ブラインドホール（３１Ａ）内にはワッシャー（３３）とスプリング（３３Ａ）が収容され、前記ヘッド部には上位置決めピン（３４０）と位置決めピン（３４）を収容するための位置決めピンホール（３００）が設けられており、
前記第三タンブラー（４０）は中空状であり、該第三タンブラー（４０）の端部面には第二貫通孔（３１）に対してスプリング（４２）と第三タンブラーピン（４３）を収容するための第二ブラインドホール（４１）が設けられ、表面にはハウジング（１０）のピンホール（１１）に対して収容部（４００）が設けられていることを特徴とする異なるカギを使えるシリンダーロック。
【請求項２】
上位置決めピン（３４０）と位置決めピン（３４）が第一タンブラー（２０）と第二タンブラー（３０）との間に位置するとき、第一タンブラー（２０）と第二タンブラー（３０）が固定されて、第一タンブラー（２０）と第二タンブラー（３０）とが一緒に第三タンブラー（４０）に対して回転し、上位置決めピン（３４０）と位置決めピン（３４）が第二タンブラー（３０）と第三タンブラー（４０）との間に位置するとき、第二タンブラー（３０）と第三タンブラー（４０）とが固定されて、第二タンブラー（３０）と第三タンブラー（４０）が一緒に第一タンブラー（２０）に対して回転することを特徴とする請求項１に記載の異なるカギを使えるシリンダーロック。
【発明の詳細な説明】
【０００１】
【発明の属する技術分野】
本発明は、特に第二タンブラーと第三タンブラーにおける位置決めピンが配合すると共に、第一タンブラーと第二タンブラーにおける第一と第二タンブラーピンを移動させるによって、異なるカギを使えることができる異なるカギを使えるシリンダーロックに関するものである。
【０００２】
【従来の技術】
従来のシリンダーロックはカギと配合して施錠、解錠のことを行って、駅とバス停の場所に良く使用されている。カギのブレードに異なる深さを有する刻みが設けられると共に、シリンダーロックの異なるタンブラー内に内縮されるタンブラーピンが設けられ、従って、カギがシリンダーロック内に挿入される際、刻みがタンブラーピンを内縮させるによって、異なるタンブラーが相互に回転され、施錠、解錠することが行われる。
【０００３】
【本発明が解決しようとする課題】
しかしながら、このシリンダーロックが公衆場所のロッカーに使用すると、カギが紛失すれば、ロッカーの所有者は自分の物が盗まれることを防止するためこのシリンダーロックを替えなければならない。
【０００４】
もう一つの例を説明する。例えば、学生Ａは卒業する又は他校に転校し、後に学生Ａのロッカーが学生Ｂに使用される。この場合に学生Ｂはこのシリンダーロックを新品に替える可能性があり、これは自分のものを紛失しないようにやむを得ない方法であり、もちろんこうすると、料金がかかり、だがこれはものを紛失する問題を解決する方法しかない。
【０００５】
【課題を解決するための手段】
上記の課題を解決するために、本発明は、中空のシリンダーハウジング（１０）と、第一タンブラー（２０）と、第二タンブラー（３０）と、第三タンブラー（４０）から構成される異なるカギを使えるシリンダーロックであって、
前記ハウジング（１０）には表面にロックピン（１２）を収容するためピンホール（１１）が設けられており、
前記第一タンブラー（２０）は前記ハウジング（１０）内に収容され、該第一タンブラー（２０）の後端面には第一タンブラーピン（２２）を収容するための第一貫通孔（２１）が設けられると共に、第二タンブラー（３０）へ向かって延伸部（２００）が設けられ、該延伸部（２００）の表面にはボールとスプリングの組合せ（２４）を収容するための第一ホール（２３）が設けられており、
前記第二タンブラー（３０）は、ヘッド部と該ヘッド部から後方へ向かって延伸する延伸部（３０１）とを有し、前記ヘッド部には第二タンブラーピン（３２）を収容するための第二貫通孔（３１）が設けられ、前記延伸部（３０１）の内表面にはボールとスプリングの組合せ（２４）に対して少なくとも一つの収容部（３５）が設けられ、前記ヘッド部には第一タンブラー（２０）の第一貫通孔（２１）に対して第一ブラインドホール（３１Ａ）が設けられると共に、各ブラインドホール（３１Ａ）内にはワッシャー（３３）とスプリング（３３Ａ）が収容され、前記ヘッド部には上位置決めピン（３４０）と位置決めピン（３４）を収容するための位置決めピンホール（３００）が設けられており、
前記第三タンブラー（４０）は中空状であり、該第三タンブラー（４０）の端部面には第二貫通孔（３１）に対してスプリング（４２）と第三タンブラーピン（４３）を収容するための第二ブラインドホール（４１）が設けられ、表面にはハウジング（１０）のピンホール（１１）に対して収容部（４００）が設けられていることを特徴とする異なるカギを使えるシリンダーロック、を提供する。
【０００６】
【発明の実施の形態】
以下、添付図面を参照して本発明の好適な実施の形態を詳細に説明する。
【０００７】
図１は本発明に係わる異なるカギを使えるシリンダーロックの分解斜視図であり、図２は本発明に係わる異なるカギを使えるシリンダーロックの親カギ及び子カギの斜視図であり、図３は本発明に係わる異なるカギを使えるシリンダーロックの正面透視図であり、図４は本発明の図３の４−４線断面図であり、図５は本発明に係わる異なるカギを使えるシリンダーロックの子カギが挿入されると共に、第一タンブラーピンが内縮される正面透視図であり、図６は本発明の図５の６−６線断面図であり、図７は本発明に係わる異なるカギを使えるシリンダーロックの子カギが挿入されると共に、第一タンブラーピンが内縮される他の角度から見る正面透視図であり、図８は本発明の図７の８−８線断面図であり、図９は本発明に係わる異なるカギを使えるシリンダーロックのカギが換わる際、親カギが第一タンブラーに挿入される正面透視図であり、図１０は本発明の図９の１０−１０線断面図であり、図１１は本発明に係わる異なるカギを使えるシリンダーロックの親カギが第一タンブラーに挿入されると共に、予定の角度に回転した後正面透視図であり、図１２は本発明の図１１の１２−１２線断面図であり、図１３は本発明に係わる異なるカギを使えるシリンダーロックの親カギをやめて他のカギに替える挿入されると共に、もとの位置に回転される状態を示す正面透視図であり、図１４は本発明の図１３の１４−１４線断面図である。
【０００８】
図１に示すように、本発明のシリンダーロックは、ハウジング（１０）と、第一タンブラー（２０）と、第二タンブラー（３０）と、第三タンブラー（４０）から構成されている。
【０００９】
ハウジング（１０）は中空なシリンダーの形を有すると共に、表面にロックピン（１２）を収容するためのピンホール（１１）が設けられている。
【００１０】
第一タンブラー（２０）はハウジング（１０）内に収容され、該第一タンブラー（２０）の後端面には第一タンブラーピン（２２）を収容するための第一貫通孔（２１）が設けられると共に、後方へ向かって延伸部（２００）が設けられ、該延伸部（２００）の表面にはボールとスプリングの組合せ（２４）を収容するための第一ホール（２３）が設けられている。
【００１１】
第二タンブラー（３０）は、ヘッド部（符号なし）と該ヘッド部から後方へ向かって延伸する延伸部（３０１）とを有している。このヘッド部には第二タンブラーピン（３２）を収容するための第二貫通孔（３１）が設けられている。図４に示すように、延伸部（３０１）の内表面にはボールとスプリングの組合せ（２４）に対して少なくとも一つの収容部（３５）が設けられている。また、ヘッド部には第一タンブラー（２０）の第一貫通孔（２１）に対して第一ブラインドホール（３１Ａ）が設けられると共に、各第一ブラインドホール（３１Ａ）内にはワッシャー（３３）とスプリング（３３Ａ）が収容されるようになっている。また、ヘッド部には第二貫通孔（３１）と第一ブラインドホール（３１Ａ）とが設けられている。更に、ヘッド部には上位置決めピン（３４０）と位置決めピン（３４）を収容するための位置決めピンホール（３００）が設けられている。
【００１２】
第三タンブラー（４０）は中空状であり、その端部面には第二貫通孔（３１）に対してスプリング（４２）と第三タンブラーピン（４３）を収容するための第二ブラインドホール（４１）が設けられている。また、第三タンブラー（４０）の表面には第一タンブラー（２０）のピンホール（１１）に対して収容部（４００）が設けられている。
【００１３】
図２は、本発明の親カギ（５０）と子カギ（６０）を示している。親カギ（５０）には第一カットアウト（５１）が設けられ、子カギ（６０）には第一カットアウト（５１）のカットの深さより深い第二カットアウト（６１）が設けられている。第一カットアウト（５１）及び第二カットアウト（６１）は、第二タンブラー（３０）の位置決めピンホール（３００）に対応して設けられている。シリンダーロックの組合う方法は当業者が良く知っていることであるから、以下、その説明を省略する。
【００１４】
図３〜図６に示すように、本発明のシリンダーロックの組合せ後、ロックピン（１２）が第一タンブラー（２０）のピンホール（１１）に挿入されると共に、第三タンブラー（４０）の収容部（４００）が第一タンブラー（２０）と第三タンブラー（４０）の間に位置される。ボールとスプリングの組合せ（２４）は第一ホール（２３）内に配置されると共に、少なくとも一つの収容部（３５）内にスムーズに移動され、第一タンブラー（２０）と第二タンブラー（３０）が相互に回転する際、ボールとスプリングの組合せ（２４）のボールが少なくとも一つの収容部（３５）に移動するときに発生する音によって第一タンブラー（２０）と第二タンブラー（３０）の相対に回転角度を確認することができる。更に、第二タンブラー（３０）の第二貫通孔（３１）と第一タンブラー（２０）の第一貫通孔（２１）とが相互に連通状態とされる。第三タンブラー（４０）の第二ブラインドホール（４１）が第二貫通孔（３１）と連通状態とされることから、スプリング（４２）が第三タンブラーピン（４３）を押圧するだけではなく、この押圧力が第二タンブラーピン（３２）も押圧することになる。第二タンブラー（３０）の位置決めピン（３４）と上位置決めピン（３４０）も同じ状態となる。
【００１５】
図６に示すように、位置決めピン（３４）が、第一タンブラー（２０）と第二タンブラー（３０）との間に位置するとき、第一タンブラー（２０）と第二タンブラー（３０）が固定される。しかし、第二タンブラー（３０）と第三タンブラー（４０）の間には何もないため、使用者がカギを回転させる際（鎖線に示すように）、第一タンブラー（２０）と第二タンブラー（３０）とが一緒に第三タンブラー（４０）に対して回転するようになる。
【００１６】
図７及び図８に示すように、第一貫通孔（２１）と第二貫通孔（３１）は第一タンブラー（２０）と第二タンブラー（３０）に介して位置決めピン（３４）が収容される。しかし、第二タンブラー（３０）における第一ブラインドホール（３１Ａ）は第一タンブラー（２０）と第二タンブラー（３０）とに関係がなく、第一タンブラー（２０）の第一貫通孔（２１）とは連通状態とはならない。更に、第二タンブラー（３０）の第一ブラインドホール（３１Ａ）内におけるワッシャー（３３）が第二タンブラー（３０）内に設置している。
【００１７】
図９及び図１０に示すように、親カギ（５０）がハウジング（１０）に挿入される際、第一タンブラーピン（２２）が刻みによって第二タンブラー（３０）へ向かって押圧される。このとき、上位置決めピン（３４０）が位置決めピン（３４）と同じように第三タンブラー（４０）のブラインドホール（４１）へ向かって押圧される。位置決めピン（３４）が第三タンブラー（４０）の第二ブラインドホール（４１）に位置するとき、第二タンブラー（３０）と第三タンブラー（４０）とが固定され、相互に回転できなくなる。上位置決めピン（３４０）と位置決めピン（３４）が第三タンブラー（４０）に移動するので、第一タンブラー（２０）と第二タンブラー（３０）の界面が第一タンブラーピン（２２）又は第二タンブラーピン（３２）で自由になる。親カギ（５０）を予定の角度に回転すると、第一タンブラー（２０）も回転する。この際、第二タンブラー（３０）のブラインドホール（３１Ａ）は第一タンブラー（２０）の第一貫通孔（２１）と連通され、第一ブラインドホール（３１Ａ）におけるワッシャー（３３）がスプリング（３３Ａ）で第一タンブラー（２０）の第一貫通孔（２１）へ向かって移動する（図１１及び図１２に示すように）。
【００１８】
図１１と図１２に示すように、ワッシャー（３３）が第一タンブラー（２０）の第一貫通孔（２１）に移動した後、本発明のシリンダーロックの内部構造が変わる。図１３と図１４に示すように、ロックの内部構造が変わった後、親カギ（５０）を取り出し、更に子カギ（６０）を本発明のロックに挿入する。子カギ（６０）の第二カットアウト（６１）は親カギ（５０）の第一カットアウト（５１）よりも深いことから、上位置決めピン（３４０）と位置決めピン（３４）が第二タンブラー（３０）へ向かって押圧される。子カギ（６０）を挿入する結果、上位置決めピン（３４０）が第一タンブラー（２０）と第二タンブラー（３０）の界面に移動し、これによって第一タンブラー（２０）と第二タンブラー（３０）とが固定される。第一タンブラー（２０）と第二タンブラー（３０）は上位置決めピン（３４０）で固定された後、子カギ（６０）は元の位置に回転される。子カギ（６０）が元の位置に戻った後、一部のワッシャー（３３）が第一タンブラー（２０）の第一貫通孔（２１）内に存在することになり、従って、子カギ（６０）しかこのロックを施錠、解錠することができないことになる。
【００１９】
しかし、若しこのロックにまた他の子カギ（６０）を使用したければ、使用者は先ず親カギ（５０）を使用し、上位置決めピン（３４０）と位置決めピン（３４）が第一タンブラー（２０）と第二タンブラー（３０）の界面から第二タンブラー（３０）と第三タンブラー（４０）の界面に移動すると共に、第一タンブラー（２０）と第二タンブラー（３０）の界面を自由な状態とする。後に使用者は上記同じのプロセスによってロックの内部構造が変わることによって、他の子カギ（６０）を使用することができる。
【００２０】
親カギ（５０）は子カギ（６０）と対応していなければいけない。そして、使用者は他の子カギ（６０）を使用したければ、必ず親カギ（５０）を使用すると、ロックの内部構造を元に戻り、更に、他の子カギ（６０）でロックの構造が変わった後、他の子カギ（６０）を使用することができる。
【００２１】
【発明の効果】
本発明は以上説明したようになるから、次のような効果を得ることができる。上位置決めピンと位置決めピンがロックの第一タンブラーと第二タンブラーの界面と第二タンブラーと第三タンブラーの界面との間に繰り返し移動するように異なる子カギが使用され、従って、使用者は新しいシリンダーロックを替える必要がなく、金を節約することができる。
【図面の簡単な説明】
【図１】本発明に係わる異なるカギを使えるシリンダーロックの分解斜視図である。
【図２】本発明に係わる異なるカギを使えるシリンダーロックの親カギ及び子カギの斜視図である。
【図３】本発明に係わる異なるカギを使えるシリンダーロックの正面透視図である。
【図４】本発明の図３の４−４線断面図である。
【図５】本発明に係わる異なるカギを使えるシリンダーロックの子カギが挿入されると共に、第一タンブラーピンが内縮される正面透視図である。
【図６】本発明の図５の６−６線断面図である。
【図７】本発明に係わる異なるカギを使えるシリンダーロックの子カギが挿入されると共に、第一タンブラーピンが内縮される他の角度から見る正面透視図である。
【図８】本発明の図７の８−８線断面図であり、その中、第二タンブラーのブラインドホールにおけるワッシャーが何れの貫通孔と対応しなくてブラインドホール内に押圧されることが見える。
【図９】本発明に係わる異なるカギを使えるシリンダーロックの子カギが換わる際、親カギが第一タンブラーに挿入される正面透視図である。
【図１０】本発明の図９の１０−１０線断面図である。
【図１１】本発明に係わる異なるカギを使えるシリンダーロックの親カギが第１タンブラーに挿入されると共に、予定の角度に回転した後正面透視図である。
【図１２】本発明の図１１の１２−１２線断面図であり、その中、予定の角度に回転した後、第二タンブラー内におけるワッシャーが第一タンブラーの貫通孔と対応して、一部のワッシャーがスプリングの弾力で貫通孔に移動される。
【図１３】本発明に係わる異なるカギを使えるシリンダーロックの親カギをやめて他のカギに替える挿入されると共に、もとの位置に回転される状態を示す正面透視図である。
【図１４】本発明の図１３の１４−１４線断面図である。
【符号の説明】
１０        ハウジング
１１        ピンホール
１２        ロックピン
２０        第一タンブラー
２００      延伸部
２１        第一貫通孔
２２        第一タンブラーピン
２３        第一ホール
２４        ボール−スプリング総合
３０        第二タンブラー
３００      位置決めピンホール
３０１      延伸部
３１        第二貫通孔
３１Ａ      第一ブランドホール
３２        第二タンブラーピン
３３        ワッシャー
３３Ａ      スプリング
３４        位置決めピン
３４０      上位置決めピン
３５        収容部
４０        第三タンブラー
４００      収容部
４１        第二ブランドホール
４２        スプリング
４３        第三タンブラーピン
５０        親カギ
５１        第一カットアウト
６０        子カギ
６１        第二カットアウト
【図１】
0003887801.tif 000002
【図２】
0003887801.tif 000003
【図３】
0003887801.tif 000004
【図４】
0003887801.tif 000005
【図５】
0003887801.tif 000006
【図６】
0003887801.tif 000007
【図７】
0003887801.tif 000008
【図８】
0003887801.tif 000009
【図９】
0003887801.tif 000010
【図１０】
0003887801.tif 000011
【図１１】
0003887801.tif 000012
【図１２】
0003887801.tif 000013
【図１３】
0003887801.tif 000014
【図１４】
0003887801.tif 000015